(57)【要約】【課題】  子機ごとにＩＳＰサーバーがプリセット可能であるとともに、必要に応じて自局ＩＰ電話番号を指定して発信することができるＩＰ電話装置を提供する。【解決手段】  ２以上の子機２を有し、２以上のＩＳＰサーバー４ａ〜４ｃに対して発信要求を送信可能なＩＰ電話装置１０であって、ＩＳＰサーバーを識別するための自局ＩＰ電話番号２２を子機に対応付けて記憶するサーバー識別符号記憶部１９と、発信操作が行われた子機を識別する子機識別制御部５２と、この子機識別結果に基づいてサーバー識別符号記憶部１９から自局ＩＰ電話番号を読み出し、ＩＳＰサーバーを選択するサーバー選択制御部５７と、選択されたＩＳＰサーバーに対して発信要求を送信するＶｏＩＰ処理部１５により構成される。【選択図】  図２
2005086722.tif 000002
【特許請求の範囲】
【請求項１】
２以上の子機を有し、２以上のＩＳＰサーバーに対して発信要求を送信可能なＩＰ電話装置において、
上記ＩＳＰサーバーを識別するためのサーバー識別符号を子機に対応付けて記憶するサーバー識別符号記憶手段と、
発信操作が行われた子機を識別する子機識別手段と、
この子機識別結果に基づいて上記サーバー識別符号記憶手段からサーバー識別符号を読み出し、ＩＳＰサーバーを選択するサーバー選択手段と、
選択されたＩＳＰサーバーに対して発信要求を送信するＶｏＩＰ発信処理手段とを備えたことを特徴とするＩＰ電話装置。
【請求項２】
２以上の子機と、
これらの子機と無線通信により接続され、２以上のＩＳＰサーバーに対して発信要求を送信可能なＩＰ電話装置本体とを備え、
上記子機は、ユーザによる発信操作に基づいて子機識別符号を含む発信要求をＩＰ電話装置本体へ送信し、
上記ＩＰ電話装置本体は、上記ＩＳＰサーバーを識別するためのサーバー識別符号を子機に対応付けて記憶するサーバー識別符号記憶手段と、
子機からの発信要求に含まれる上記子機識別符号を抽出する子機識別符号抽出手段と、
抽出された子機識別符号に基づいて子機を識別する子機識別手段と、
この子機識別結果に基づいて上記サーバー識別符号記憶手段からサーバー識別符号を読み出し、ＩＳＰサーバーを選択するサーバー選択手段と、
選択されたＩＳＰサーバーに対して発信要求を送信するＶｏＩＰ発信処理手段とからなることを特徴とするＩＰ電話装置。
【請求項３】
上記子機は、上記子機識別符号を記憶する子機識別符号記憶手段と、
ユーザによる発信操作に基づいて発信要求を生成する発信要求生成手段と、
生成された発信要求をＩＰ電話装置本体へ送信する送信手段とを備え、
上記発信要求生成手段は、ユーザにより上記ＩＳＰサーバーを選択するためのサーバー選択符号が入力されなかった場合、上記子機識別符号記憶手段から読み出した子機識別符号に基づいて発信要求を生成することを特徴とする請求項２に記載のＩＰ電話装置。
【請求項４】
上記発信要求生成手段は、ユーザにより上記サーバー選択符号が入力された場合に、このサーバー選択符号を子機識別符号として含む発信要求を生成することを特徴とする請求項３に記載のＩＰ電話装置。
【請求項５】
上記サーバー識別符号記憶手段は、自局に割り当てられた２以上の自局ＩＰ電話番号をサーバー識別符号として記憶し、
上記サーバー選択手段は、サーバー識別符号記憶手段から自局ＩＰ電話番号を読み出し、この自局ＩＰ電話番号に基づいてＩＳＰサーバーを選択し、
上記ＶｏＩＰ発信処理手段は、読み出された自局ＩＰ電話番号を発信元ＩＰ電話番号とする発信要求を送信することを特徴とする請求項１または２に記載のＩＰ電話装置。
【請求項６】
上記ＩＰ電話装置本体は、ＰＳＴＮに対して発信要求を送信するＰＳＴＮ発信処理手段を備え、
上記サーバー識別符号記憶手段は、ＰＳＴＮに対する発信を指示するためのＰＳＴＮ指示符号を特定の子機に対応付けて記憶し、
上記サーバー選択手段は、子機識別結果に基づいて上記ＰＳＴＮ指示符号を読み出し、
上記ＰＳＴＮ発信処理手段は、ＰＳＴＮ指示符号が読み出された場合に、発信要求を送信することを特徴とする請求項２に記載のＩＰ電話装置。
【請求項７】
２以上の子機を有し、２以上の自局ＩＰ電話番号が割り当てられたＩＰ電話装置において、
上記自局ＩＰ電話番号を子機に対応付けて記憶する自局ＩＰ電話番号記憶手段と、
発信操作が行われた子機を識別する子機識別手段と、
この子機識別結果に基づいて上記自局ＩＰ電話番号記憶手段から自局ＩＰ電話番号を読み出し、自局ＩＰ電話番号を選択する発信元ＩＰ電話番号選択手段と、
選択された自局ＩＰ電話番号を発信元ＩＰ電話番号とする発信要求を送信するＶｏＩＰ発信処理手段とを備えたことを特徴とするＩＰ電話装置。
【発明の詳細な説明】
【技術分野】
【０００１】
本発明は、ＩＰ電話装置に係り、さらに詳しくは、２以上の子機を有し、２以上のＩＳＰサーバーに対して発信要求を送信可能なＩＰ電話装置の改良に関する。
【背景技術】
【０００２】
近年、ＩＰ（Internet Protocol）網を利用して音声通信を行うＩＰ電話の進展が著しい。ＩＰ網は、インターネット、または、通信事業者がＩＰ電話用に設けた専用回線網であり、この様なＩＰ網を介して行われるＩＰ電話を実現するための技術は、ＶｏＩＰ（Voice over IP）と呼ばれている。ＶｏＩＰでは、デジタル符号化されるとともに、パケット化された音声データ（ＶｏＩＰパケット）が端末間で伝送される。例えば、ユーザが契約したプロバイダーが管理するＩＳＰ（Internet Service Provider）サーバーを介して、各端末がＩＰ網と接続されている場合、ＩＳＰサーバーを介してＶｏＩＰパケットを順次に伝送することによって、端末間で通話をリアルタイムに行うことができる。
【０００３】
この様なＩＰ電話において、ユーザが電話をかける場合に通話相手を指定する番号として、０５０で始まる電話番号、いわゆるＩＰ電話番号を各端末に割り当てて接続を行うサービスが開始されようとしている。通常、１つの端末には１つのＩＰ電話番号が割り当てられ、電話をかける場合にこのＩＰ電話番号に対応する１つのＩＳＰサーバーに対して発信処理が行われる。しかし、近い将来、１つの端末から複数のＩＳＰサーバーにアクセス可能となり、このため、１つの端末に対してＩＳＰサーバーごとのＩＰ電話番号を割り当てることが可能となると考えられる。
【０００４】
その様な複数のＩＳＰサーバーにアクセス可能な従来のＩＰ電話装置では、ＩＰ電話をかけようとすると、ＩＳＰサーバーを指定するための操作入力をユーザが発信ごとに行わなければならないという問題があった（例えば、特許文献１〜３）。
【特許文献１】特開平１１−３３１７号公報
【特許文献２】特開２００１−２８５５１８号公報
【特許文献３】特開２００２−１４９５２１号公報
【発明の開示】
【発明が解決しようとする課題】
【０００５】
上述した通り、従来のＩＰ電話装置では、ＩＳＰサーバーを指定するための操作入力をユーザが発信ごとに行わなければならず、操作性が良くないという問題があった。
【０００６】
本発明は、上記事情に鑑みてなされたものであり、操作性を向上させたＩＰ電話装置を提供することを目的としている。特に、発信要求を送信するＩＳＰサーバーを子機ごとにプリセット可能なＩＰ電話装置を提供することを目的としている。また、必要に応じて自局ＩＰ電話番号を指定して発信することができるＩＰ電話装置を提供することを目的としている。
【課題を解決するための手段】
【０００７】
本発明によるＩＰ電話装置は、２以上の子機を有し、２以上のＩＳＰサーバーに対して発信要求を送信可能であり、上記ＩＳＰサーバーを識別するためのサーバー識別符号を子機に対応付けて記憶するサーバー識別符号記憶手段と、発信操作が行われた子機を識別する子機識別手段と、この子機識別結果に基づいて上記サーバー識別符号記憶手段からサーバー識別符号を読み出し、ＩＳＰサーバーを選択するサーバー選択手段と、選択されたＩＳＰサーバーに対して発信要求を送信するＶｏＩＰ発信処理手段により構成される。
【０００８】
すなわち、発信操作が行われた子機が識別され、子機の識別結果に基づいてサーバー識別符号記憶手段からサーバー識別符号が読み出されるので、ユーザは、子機において発信操作を行うことによって、当該子機に対応するＩＳＰサーバーを選択指定して発信することができる。つまり、サーバー識別符号を子機に対応付けて予め記憶させておくことによって、子機ごとにＩＳＰサーバーをプリセットすることができるので、ＩＳＰサーバーを指定するための操作入力を必要とすることなく、例えば、子機から発信先の電話番号を入力するだけで、ＩＳＰサーバーを自動的に選択して発信させることができる。
【０００９】
本発明によるＩＰ電話装置は、２以上の子機と、これらの子機と無線通信により接続され、２以上のＩＳＰサーバーに対して発信要求を送信可能なＩＰ電話装置本体とを備え、上記子機は、ユーザによる発信操作に基づいて子機識別符号を含む発信要求をＩＰ電話装置本体へ送信し、上記ＩＰ電話装置本体は、上記ＩＳＰサーバーを識別するためのサーバー識別符号を子機に対応付けて記憶するサーバー識別符号記憶手段と、子機からの発信要求に含まれる上記子機識別符号を抽出する子機識別符号抽出手段と、抽出された子機識別符号に基づいて子機を識別する子機識別手段と、この子機識別結果に基づいて上記サーバー識別符号記憶手段からサーバー識別符号を読み出し、ＩＳＰサーバーを選択するサーバー選択手段と、選択されたＩＳＰサーバーに対して発信要求を送信するＶｏＩＰ発信処理手段とからなる。
【００１０】
この様な構成によれば、子機からＩＰ電話装置本体へ送信される発信要求に基づいて子機の識別が行われるので、ＩＳＰサーバーを子機により選択指定することができる。
【００１１】
本発明によるＩＰ電話装置は、上記構成に加え、上記子機が、上記子機識別符号を記憶する子機識別符号記憶手段と、ユーザによる発信操作に基づいて発信要求を生成する発信要求生成手段と、生成された発信要求をＩＰ電話装置本体へ送信する送信手段とを備え、上記発信要求生成手段が、ユーザにより上記ＩＳＰサーバーを選択するためのサーバー選択符号が入力されなかった場合、上記子機識別符号記憶手段から読み出した子機識別符号に基づいて発信要求を生成するように構成される。
【００１２】
この様な構成によれば、発信操作時にユーザがサーバー選択符号を入力しなかった場合には、子機識別符号がＩＰ電話装置本体に対して自動的に送信されるので、子機識別のための操作入力が不要となり、操作性を向上させることができる。
【００１３】
本発明によるＩＰ電話装置は、上記構成に加え、上記発信要求生成手段が、ユーザにより上記サーバー選択符号が入力された場合に、このサーバー選択符号を子機識別符号として含む発信要求を生成するように構成される。この様な構成によれば、子機においてユーザがサーバー選択符号を入力することによって、ＩＳＰサーバーを選択指定することができる。つまり、ユーザは、必要に応じてサーバー選択符号を入力することで、子機に対応付けられたＩＳＰサーバー以外のＩＳＰサーバーを選択指定して発信要求を送信させることができる。
【００１４】
本発明によるＩＰ電話装置は、上記構成に加え、上記サーバー識別符号記憶手段が、自局に割り当てられた２以上の自局ＩＰ電話番号をサーバー識別符号として記憶し、上記サーバー選択手段が、サーバー識別符号記憶手段から自局ＩＰ電話番号を読み出し、この自局ＩＰ電話番号に基づいてＩＳＰサーバーを選択し、上記ＶｏＩＰ発信処理手段が、読み出された自局ＩＰ電話番号を発信元ＩＰ電話番号とする発信要求を送信するように構成される。
【００１５】
この様な構成によれば、自局ＩＰ電話番号が子機に対応付けて記憶され、自局ＩＰ電話番号に基づいて発信要求の送信が行われるので、自局ＩＰ電話番号を選択指定して発信することができる。特に、１つのＩＳＰサーバーについて２以上の自局ＩＰ電話番号が割り当てられている場合、ユーザが子機を選択することによって、複数の自局ＩＰ電話番号のいずれか１つを発信元ＩＰ電話番号に指定して発信することができる。
【００１６】
本発明によるＩＰ電話装置は、上記構成に加え、上記ＩＰ電話装置本体が、ＰＳＴＮに対して発信要求を送信するＰＳＴＮ発信処理手段を備え、上記サーバー識別符号記憶手段が、ＰＳＴＮに対する発信を指示するためのＰＳＴＮ指示符号を特定の子機に対応付けて記憶し、上記サーバー選択手段が、子機識別結果に基づいて上記ＰＳＴＮ指示符号を読み出し、上記ＰＳＴＮ発信処理手段が、ＰＳＴＮ指示符号が読み出された場合に、発信要求を送信するように構成される。
【００１７】
この様な構成によれば、特定の子機に対応付けられたＰＳＴＮ指示符号が読み出された場合には、ＰＳＴＮに対して発信要求が送信されるので、ユーザは、この特定の子機を用いることによって、常にＰＳＴＮに対して発信要求を送信させることができる。
【００１８】
本発明によるＩＰ電話装置は、２以上の子機を有し、２以上の自局ＩＰ電話番号が割り当てられたＩＰ電話装置において、上記自局ＩＰ電話番号を子機に対応付けて記憶する自局ＩＰ電話番号記憶手段と、発信操作が行われた子機を識別する子機識別手段と、この子機識別結果に基づいて上記自局ＩＰ電話番号記憶手段から自局ＩＰ電話番号を読み出し、自局ＩＰ電話番号を選択する発信元ＩＰ電話番号選択手段と、選択された自局ＩＰ電話番号を発信元ＩＰ電話番号とする発信要求を送信するＶｏＩＰ発信処理手段により構成される。
【００１９】
この様な構成によれば、発信操作が行われた子機が識別され、子機の識別結果に基づいて、ＩＳＰサーバーではなく自局ＩＰ電話番号を発信元ＩＰ電話番号として指定して発信することができる。従って、例えば、１つのＩＳＰサーバーについて２以上の自局ＩＰ電話番号が割り当てられている場合に、発信元ＩＰ電話番号を指定することができる。
【発明の効果】
【００２０】
本発明のＩＰ電話装置によれば、子機ごとにＩＳＰサーバーをプリセット可能であるので、子機における発信操作によって、当該子機に対応するＩＳＰサーバーを選択指定して発信することができる。従って、ＩＳＰサーバーを指定するための操作入力を必要とすることなく、ＩＳＰサーバーを自動的に選択して発信要求を送信することができるので、操作性を向上させることができる。また、サーバー選択符号を入力することによって、ＩＳＰサーバーを選択指定することができるので、ユーザは、ＩＳＰサーバーごとに割り当てられた自局ＩＰ電話番号を必要に応じて指定して発信要求を送信させることができる。
【発明を実施するための最良の形態】
【００２１】
実施の形態１．
図１は、本発明の実施の形態１に係るＩＰ電話システムの一構成例を示した図である。このＩＰ電話システムは、本実施の形態によるＩＰ電話装置１０と、ＩＰ電話装置１０を２以上のＩＳＰサーバー４ａ〜４ｃ及びＰＳＴＮ（Public Switched Telephone Network：公衆電話交換網）８に接続し、呼制御の中継を行う交換局３と、各ＩＳＰサーバー４ａ〜４ｃがそれぞれ接続されるＩＰ網５と、ＩＳＰサーバー６を介してＩＰ網５に接続される通話相手のＩＰ電話装置７とからなる。ＩＰ電話装置１０は、上記各ＩＳＰサーバー４ａ〜４ｃに対して発信要求が送信可能であり、上記交換局３と接続するＩＰ電話装置本体１と、このＩＰ電話装置本体１と無線通信により接続される２以上の子機２とを有する。
【００２２】
このＩＰ電話装置１０では、ユーザがいずれかの子機２を選択して発信操作を行うことによって、ＩＳＰサーバー４ａ〜４ｃを自動的に指定して発信要求を送信することができる。また、ユーザは、子機２に予め対応付けられているＩＳＰサーバー以外のＩＳＰサーバーを選択指定して発信要求を送信させることもできる。
【００２３】
子機２は、オフフックを含む発信操作と、通話を行うためのものであり、ＩＰ電話装置本体１との間で音声信号などの送受信を行っている。ここでは、この様な子機２が４つあるものとする。これらの子機２のいずれか１つにおいて、ユーザにより発信操作が行われると、ＩＰ電話装置本体１に対して発信要求が送信される。ＩＰ電話装置本体１は、いずれかの子機２から発信要求を受信すると、子機２の識別を行い、ＩＳＰサーバー４ａ〜４ｃをいずれかに選択指定して発信要求を送信する。この発信要求は、選択指定されたＩＳＰサーバーに交換局３を介して伝送される。
【００２４】
ＩＳＰサーバー４ａ〜４ｃは、ユーザが契約したプロバイダーが管理するサーバーであり、交換局３を介して伝送されたＩＰ電話装置１０からの発信要求をＩＰ網５へ送信している。ここでは、ユーザが契約する３つの異なるプロバイダーに対応して、３つのＩＳＰサーバー４ａ〜４ｃがあり、これらのいずれかを介して通話相手のＩＳＰサーバー６に接続されるものとする。
【００２５】
つまり、ユーザが子機２から発信操作を行うことによって、ＩＰ電話装置本体１からＩＳＰサーバー４ａ〜４ｃを選択指定して発信要求が送信され、選択指定されたＩＳＰサーバーを介して通話相手のＩＰ電話装置７に接続される。ここでは、発信操作として、通話相手のＩＰ電話番号（発信先ＩＰ電話番号、例えば、「０５０−３３３３−４５６７」）などが入力されるものとする。なお、子機２においてＰＳＴＮ電話番号が入力された場合には、ＰＳＴＮ８に対して発信要求が送信され、発信先ＰＳＴＮ電話番号に対応する端末との通話はＰＳＴＮ８を介して行われる。また、ＩＰ網５を介して行われる通話時には、デジタル符号化されるとともに、パケット化された音声信号（ＶｏＩＰパケット）が送受信される。
【００２６】
図２は、本発明の実施の形態１によるＩＰ電話装置本体の概略構成の一例を示したブロック図である。ＩＰ電話装置本体１は、スプリッタ１１、ＰＳＴＮ処理部１２、切替回路１３、親機１４、ＶｏＩＰ処理部１５、主制御部１６、無線通信処理部１７、ユーザインターフェース（Ｉ／Ｆ）１８及びサーバー識別符号記憶部１９により構成される。
【００２７】
このＩＰ電話装置本体１では、子機２から送信された発信要求を受信し、受信した発信要求に基づいてＩＳＰサーバー４ａ〜４ｃまたはＰＳＴＮ８を選択指定して発信要求の送信を行うことができる。
【００２８】
スプリッタ１１は、交換局３から１つの電話線を介して伝送された信号をＰＳＴＮ処理部１２及びＶｏＩＰ処理部１５に対して出力する分離回路である。また、ＰＳＴＮ処理部１２及びＶｏＩＰ処理部１５からの信号は、上記電話線に対して出力される。
【００２９】
ＰＳＴＮ処理部１２は、ＰＳＴＮ８に対する発信要求の送信処理と、ＰＳＴＮ８を介して行われる音声通信の通話処理と、ＰＳＴＮ８を介して受信される発信要求（着信信号）の着信処理を行っている。発信要求の送信処理は、子機２またはユーザインターフェース１８から主制御部１６を介して入力される発信先電話番号に基づいて行われ、スプリッタ１１を介して発信要求が交換局３へ送信される。また、通話処理は、スプリッタ１１を介して受信された音声信号を切替回路１３に対して出力することにより行われる。また、着信処理は、スプリッタ１１を介して受信される発信要求（着信信号）に基づいて着信検出信号を生成することにより行われ、着信検出信号は、主制御部１６を介して子機２及び親機１４に出力される。子機２及び親機１４では、この着信検出信号に基づいて、着信音などが出力される。
【００３０】
ＶｏＩＰ処理部１５は、ＩＰ網５に対する発信要求の送信処理と、ＩＰ網５を介して行われる音声通信の通話処理と、ＩＰ網５を介して受信される発信要求の着信処理を行っている。発信要求の送信処理は、子機２またはユーザインターフェース１８から主制御部１６を介して入力される発信先電話番号及び自局ＩＰ電話番号２２に基づいて行われ、スプリッタ１１を介して交換局３へ発信要求が送信される。この発信要求に基づいて通話相手のＩＰ電話装置７とのセッションが確立されると、通話が開始される。通話処理は、スプリッタ１１を介して受信されたＶｏＩＰパケットを復号復元し、アナログ化された音声信号を生成することにより行われる。アナログ化された音声信号は切替回路１３へ順次に出力され、子機２または親機１４において出力される。また、通話処理は、子機２または親機１４から切替回路１３を介して入力された音声信号をデジタル符号化するとともに、パケット化することにより行われ、ＶｏＩＰパケットがスプリッタ１１を介して交換局３へ順次に送信される。着信処理は、スプリッタ１１を介して受信される発信要求に基づいて行われ、発信元端末とのセッションが確立すると通話が開始される。
【００３１】
切替回路１３は、ＰＳＴＮ処理部１２及びＶｏＩＰ処理部１５からの音声信号を親機１４、または、主制御部１６及び無線通信処理部１７を介して子機２に対して出力している。また、親機１４及び子機２からの音声信号をＰＳＴＮ処理部１２またはＶｏＩＰ処理部１５のいずれかを択一的に選択して出力している。この様な切替処理は、主制御部１６の制御に基づいて行われる。
【００３２】
親機１４は、ＩＰ電話装置本体１において通話を行う場合に用いられるものであり、音声の入力部及び出力部を有するハンドセット１４ａと、ハンズフリーで通話を行う際や、着信音の出力などに用いられるスピーカ１４ｂとを備えている。
【００３３】
無線通信処理部１７は、各子機２との間で音声信号などを無線伝送するための通信処理を行っている。この通信処理では、発信時に、子機２を識別するための子機識別符号２１と、発信先の電話番号とを含む発信要求が子機２から受信され、主制御部１６に対して出力される。通話時には、子機２からの音声信号が受信され、主制御部１６へ出力されるとともに、主制御部１６から入力された音声信号が子機２に対して送信される。
【００３４】
ユーザインターフェース１８は、主制御部１６から入力されるデータに基づいて表示を行う表示部（図示せず）と、ユーザにより操作入力が行われ、主制御部１６に対してデータ入力を行う操作入力部（図示せず）とを有するインターフェースである。上記表示部は、ユーザが操作入力部において入力した文字情報などを画面表示するＬＣＤと、着信表示やエラー表示などを行うためのＬＥＤ表示装置とにより構成される。また、上記操作入力部は、多数の入力キーからなるキーパネルにより構成される。ここでは、これらの表示部及び操作入力部がＩＰ電話装置本体１内に搭載されるものとして説明しているが、例えば、パーソナルコンピュータなどの情報処理装置をＩＰ電話装置１に外部装置として接続することによって、主制御部１６から入力されるデータの表示と、主制御部１６に対するデータ入力を行うようなものであっても良い。
【００３５】
サーバー識別符号記憶部１９は、子機識別符号２１に対応付けて自局ＩＰ電話番号２２を記憶する記憶手段である。ここでは、各子機２に対して、子機２ごとに異なる符号「＃１」、「＃２」、…が子機識別符号２１として割り振られており、この子機識別符号２１に対応付けて自局ＩＰ電話番号２２が格納されているものとする。また、自局ＩＰ電話番号２２は、ＩＳＰサーバー４ａ〜４ｃに対応してＩＳＰサーバーごとにＩＰ電話装置本体１に割り当てられているものとする。これらの自局ＩＰ電話番号２２は、ＩＳＰサーバー４ａ〜４ｃに対応付けられるので、ＩＳＰサーバー４ａ〜４ｃを識別するためのサーバー識別符号として用いることができる。つまり、これらの自局ＩＰ電話番号２２が子機２に対応付けて記憶されており、発信時に入力される子機識別符号２１に基づいて、自局ＩＰ電話番号２２を発信元ＩＰ電話番号としてＩＳＰサーバー４ａ〜４ｃを選択指定して発信要求が送信される。
【００３６】
子機識別符号２１と自局ＩＰ電話番号２２との対応関係を示すテーブルは、ユーザにより予め登録されており、必要に応じて書き換え可能である。なお、子機識別符号２１は、ＩＰ電話装置本体１に接続可能な子機数に応じて増設番号が予め割り当てられているような場合、この増設番号に基づいて自動的に割り振られるようなものであっても良い。
【００３７】
主制御部１６は、子機２から入力される発信要求に含まれる子機識別符号２１に基づいて、サーバー識別符号記憶部１９から自局ＩＰ電話番号２２を読み出し、ＶｏＩＰ処理部１５に対して発信要求の送信指示を行っている。また、主制御部１６は、サーバー識別符号記憶部１９に対して自局ＩＰ電話番号２２の登録処理を行っている。
【００３８】
図３は、図２のＩＰ電話装置本体における要部の一構成例を示したブロック図であり、ＰＳＴＮ処理部１２の詳細を示している。ＰＳＴＮ処理部１２は、回線捕捉回路３１、スピーチネットワーク３２、ダイヤル回路３３、着信検出回路３４及び発信元電話番号抽出回路３５により構成され、ＰＳＴＮ８に対する発信要求の送信処理と、ＰＳＴＮ８を介して行われる音声通信の通話処理と、ＰＳＴＮ８を介して受信される発信要求の着信処理とが行われる。
【００３９】
回線捕捉回路３１は、ダイヤル回路３３からの制御信号に基づいてＰＳＴＮ回線の閉結及び開放を行っており、この回線状態を示す信号がダイヤル回路３３を介して主制御部１６へ出力される。スピーチネットワーク３２は、回線捕捉回路３１から入力されたＰＳＴＮ回線経由の受話信号を切替回路１３に対して出力するとともに、回線捕捉回路３１を介して切替回路１３からの送話信号をＰＳＴＮ８に対して出力している。また、スピーチネットワーク３２は、ダイヤル回路３３により生成されたＤＴＭＦ（Dual Tone Multi Frequency）信号を回線捕捉回路３１に対して出力している。
【００４０】
ダイヤル回路３３は、回線捕捉回路３１にＰＳＴＮ回線の開閉を行わせてダイヤルパルスを発生させるか、またはＤＴＭＦ信号を生成してスピーチネットワーク３２に対して出力している。着信検出回路３４は、ＰＳＴＮ回線経由で受信するＣＡＲ信号またはＩＲ信号に基づいて着信の検出を行っており、検出結果を着信検出信号として主制御部１６へ出力している。発信元電話番号抽出回路３５は、スピーチネットワーク３２を介して受信した信号を復調し、発信元の電話番号（通話相手のＰＳＴＮ電話番号）情報の抽出を行っている。この様な発信元電話番号情報は、主制御部１６を介して子機２及びユーザインターフェース１８へ出力される。
【００４１】
つまり、ＰＳＴＮ処理部１２では、ＰＳＴＮ８に対する発信時に、主制御部１６から入力される発信先の電話番号に基づいてダイヤル回路３３によりＤＴＭＦ信号が生成され、スピーチネットワーク３２及び回線捕捉回路３１を介してＰＳＴＮ８に発信要求として送信することにより発呼制御が行われる。また、ＰＳＴＮ８を介して行われる通話時には、回線捕捉回路３１及びスピーチネットワーク３２を介して音声信号が伝送される。また、ＰＳＴＮ８からの着信時には、着信検出回路３４により着信が検出されるとともに、着信信号から発信元電話番号情報が抽出される。
【００４２】
図４は、図２のＩＰ電話装置本体における要部の一構成例を示したブロック図であり、ＶｏＩＰ処理部１５の詳細を示している。ＶｏＩＰ処理部１５は、モデム４１、モデム４１の制御を行っているモデム制御部４２、ＶｏＩＰ制御部４３、ＤＳＰ制御部４４及びＤＳＰ制御部４４により制御されるＤＳＰコーデック４５により構成され、ＩＰ網５に対する発信要求の送信処理と、ＩＰ網５を介して行われる音声通信の通話処理と、ＩＰ網５を介して受信される発信要求の着信処理とが行われる。
【００４３】
モデム４１は、ＡＤＳＬモデムや光モデムなどの変復調手段であり、ＩＰ網５を介して受信したデジタル信号を復調し、モデム制御部４２を介してＶｏＩＰ制御部４３に出力する。また、モデム４１は、モデム制御部４２を介してＶｏＩＰ制御部４３から入力されたデジタル信号を変調してＩＰ網５に出力する。
【００４４】
ＶｏＩＰ制御部４３は、モデム制御部４２を介してモデム４１から伝送された復調信号（ＶｏＩＰパケット）を順次に復元してＤＳＰ制御部４４を介してＤＳＰコーデック４５に出力する。また、ＶｏＩＰ制御部４３は、ＤＳＰ制御部４４を介してＤＳＰコーデック４５から入力された信号を順次にパケット化してモデム制御部４２を介してモデム４１に出力する。また、発信及び着信時には、ＩＰ網５に対する呼制御を行うとともに、ダイヤルアップ接続する際などにＩＳＰサーバー４ａ〜４ｃとのＰＰＰ（Point to Point Protocol）セッション確立のための接続制御や、ＩＰ網５を介して行われる通話相手のＩＰ電話装置７との呼制御を中継するＶｏＩＰサーバーに対する認証制御を行っている。
【００４５】
ＤＳＰ（Digital Signal Processor）コーデック４５は、ＤＳＰ制御部４４を介してＶｏＩＰ制御部４３から入力された復元信号をデコードし、アナログ化された音声信号を切替回路１３に出力する。また、ＤＳＰコーデック４５は、切替回路１３から入力された音声信号をデジタル符号化してＤＳＰ制御部４４を介してＶｏＩＰ制御部４３に出力している。
【００４６】
つまり、ＶｏＩＰ処理部１５では、ＩＰ網５に対する発信時に、主制御部１６から入力された発信先の電話番号と、ＩＳＰサーバー４ａ〜４ｃを指定する自局ＩＰ電話番号２２とに基づいて、モデム制御部４２及びモデム４１を介してＩＰ網５に対する発呼制御が行われる。また、ＩＰ網５を介して行われる通話時には、切替回路１３からの音声信号がデジタル符号化及びパケット化され、ＶｏＩＰパケットとしてＩＰ網５に順次に送信されるとともに、ＩＰ網５から受信したＶｏＩＰパケットは、順次に復号化されて切替回路１３に出力される。
【００４７】
図５は、図２のＩＰ電話装置本体における要部の一構成例を示したブロック図であり、主制御部１６の詳細を示している。主制御部１６は、ＣＰＵ５１、子機識別部５２、表示制御部５３、入力制御部５４、発信回線判定部５５、サーバー選択制御部５６及び子機識別符号抽出部５７により構成され、ＰＳＴＮ処理部１２、ＶｏＩＰ処理部１５、切替回路１３及び無線通信処理部１７に対する制御や、ユーザインターフェース１８に対する入出力制御、サーバー識別符号記憶部１９に対する制御が行われる。
【００４８】
子機識別符号抽出部５７は、子機２からの発信要求から子機識別符号２１の抽出を行っている。子機識別部５２は、この抽出結果に基づいて子機２の識別を行っている。子機２の識別結果は、ＣＰＵ５１に出力され、サーバー選択制御部５６による自局ＩＰ電話番号２２の読み出しに用いられる。
【００４９】
表示制御部５３は、ユーザインターフェース１８に対する表示制御を行っている。入力制御部５４は、ユーザインターフェース１８における入力操作を監視し、入力データをＣＰＵ５１に対して出力している。発信回線判定部５５は、ＣＰＵ５１から入力される発信先電話番号に基づいて、発信要求の送信処理を行う回線をＣＰＵ５１に対して指示する。例えば、発信先電話番号が「０５０」で始まる電話番号であれば、ＩＰ電話番号であるとみなされ、ＩＰ網５に対する発信処理が指示される。一方、「０５０」で始まる電話番号以外の電話番号であれば、ＰＳＴＮ電話番号であるとみなされ、ＰＳＴＮ８に対する発信処理が指示される。
【００５０】
サーバー選択制御部５６は、サーバー識別符号記憶部１９に対する自局ＩＰ電話番号２２の登録制御を行うとともに、サーバー識別符号記憶部１９から自局ＩＰ電話番号２２の読み出しを行っている。この自局ＩＰ電話番号２２の読み出しは、子機識別部５２による子機識別結果に基づいて行われる。
【００５１】
図６は、図１のＩＰ電話装置における要部の一構成例を示したブロック図であり、子機２の詳細を示している。子機２は、メモリ制御部６３により制御されるプリセット電話番号メモリ６２と、表示制御部６５により制御される表示部６４と、入力制御部６７により制御される操作入力部６６と、通信制御部６８により制御される無線通信処理部６９と、通話回路７０と、子機識別符号記憶部７２と、発信要求生成部７３と、各制御部、通話回路７０及び子機識別符号記憶部７２を制御する子機主制御部６１により構成される。
【００５２】
プリセット電話番号メモリ６２は、通話相手の電話番号をプリセット番号に対応付けて記憶する記憶装置である。ユーザは、このプリセット電話番号メモリ６２に通話相手の電話番号を予め記憶させておくことによって、プリセット番号を操作入力部６６において入力するだけで、当該プリセット番号に対応する通話相手端末に発信することができる。表示部６４は、入力された電話番号や、着信時における発信元電話番号などの文字情報を画面表示する出力装置である。操作入力部６６は、電話番号などの入力やオフフック操作を行う入力装置である。
【００５３】
無線通信処理部６９は、ＩＰ電話装置本体１と無線通信により音声信号などを送受信している。通話回路７０は、ハンドセットとしてスピーカ７０ａ及びマイク７０ｂと、ハンズフリー通話用のスピーカ７１とを備え、子機主制御部６１による制御に基づいて、無線通信処理部６９に対する音声信号の入出力を行っている。
【００５４】
子機識別符号記憶部７２は、子機２を識別するための子機識別符号２１を記憶する記憶装置であり、自局（子機）に対応する子機識別符号２１が予め記憶されている。自局（子機）に割り振られた子機識別符号２１は、当該子機において発信操作が行われると、発信先の電話番号とともに発信要求としてＩＰ電話装置本体１に対して送信される。
【００５５】
発信要求生成部７３は、操作入力部６６における発信操作に基づいて発信要求を出力している。この発信要求は、ＩＳＰサーバー４ａ〜４ｃを選択指定するためのサーバー選択符号がユーザにより入力されず、発信先の電話番号のみが入力された場合、子機識別符号記憶部７２に格納されている子機識別符号２１を読み出し、読み出した子機識別符号２１と、発信先電話番号とから生成される。一方、サーバー選択符号がユーザにより入力された場合には、入力されたサーバー選択符号を子機識別符号２１として含む発信要求が生成される。つまり、ユーザがＩＳＰサーバー４ａ〜４ｃを選択指定するためにサーバー選択符号を入力した場合には、このサーバー選択符号を子機識別符号２１として発信要求が生成され、サーバー選択符号を入力しなかった場合には、予め子機２に割り当てられている子機識別符号２１に基づいて発信要求が生成される。ＩＰ電話装置本体１では、子機２から受信した発信要求に含まれる子機識別符号２１を抽出することによって、子機２を識別することができる。ここでは、子機識別符号２１をサーバー選択符号として用いるものとし、子機識別符号２１は発信時に必要に応じて発信先電話番号とともに入力されるものとする。なお、子機識別符号２１は、発信先電話番号の入力より先にプレフィックス番号として入力される。
【００５６】
図７（ａ）及び（ｂ）は、図１のＩＰ電話装置に割り当てられた自局電話番号の一例を示した図である。ユーザは、１つのＰＳＴＮ回線と、３つの異なるＩＳＰに加入しており、ＩＰ電話装置１０には、１つのＰＳＴＮ電話番号と、上記ＩＳＰから取得した３つのＩＰ電話番号とが自局電話番号として割り当てられている。
【００５７】
図７（ａ）には、ＰＳＴＮ回線及びＩＳＰサーバーａ〜ｃと、端末（回線）に割り当てられた各自局電話番号との対応関係が示されている。これらの自局電話番号は、ＩＰ電話装置本体１に接続された子機２に対応付けてサーバー識別符号記憶部１９に記憶されている。図７（ｂ）には、このような対応付けを表すテーブルが示されており、子機識別符号２１「＃１」〜「＃４」に対応付けて、自局ＩＰ電話番号２２がそれぞれ格納されている。例えば、子機「＃１」には、ＩＳＰサーバーａに対応する「０５０−１１１１−１２３４」がプリセットされている。
【００５８】
図８のステップＳ１０１〜Ｓ１１１は、図６の子機における発信動作の一例を示したフローチャートである。まず、入力制御部６７は、操作入力部６６においてユーザによる発信操作を検出すると、子機主制御部６１に対してＩＰ電話装置本体１との通信開始を指示する（ステップＳ１０１）。通信制御部６８は、子機主制御部６１による制御に基づいて無線通信処理部６９に対して通信開始要求の制御を行い、ＩＰ電話装置本体１との無線通信が開始される（ステップＳ１０２）。
【００５９】
このとき、通信制御部６８は、ＩＰ電話装置本体１との無線通信が可能でなければ、表示部６４に通信不可を示すエラー表示を行わせるとともに、スピーカ７１からエラー音を出力させる（ステップＳ１０３，Ｓ１１０）。この場合、発信動作処理は終了し、待ち受け状態に移行する。一方、無線通信が可能であれば、子機主制御部６１が、当該子機２にプリセットされている発信先電話番号がユーザにより操作指定されたか否かを判別する（ステップＳ１０４）。
【００６０】
子機主制御部６１は、プリセットの電話番号が選択指定されず、オフフック操作だけが行われた場合、電話番号の入力待ち状態に移行し、プリセットの電話番号が選択指定された場合には、選択指定された電話番号と、子機識別符号記憶部７２から読み出された子機識別符号２１とを含む発信要求がＩＰ電話装置本体１に送信され、送信後に電話番号の入力待ち状態に移行する（ステップＳ１１１）。
【００６１】
次に、子機主制御部６１は、電話番号の入力待ち状態において、ユーザにより通話相手の発信先電話番号が入力されると、子機識別符号２１がＩＰ電話装置本体１に送信済みであるか否かを判別し、送信済みでなければ、自局に割り当てられた子機識別符号２１を送信してから発信先電話番号を送信する（ステップＳ１０５〜Ｓ１０９）。一方、子機識別符号２１がユーザにより既に入力され、送信済みである場合には、発信先電話番号が送信される。子機主制御部６１は、所定時間が経過すると、電話番号の入力待ち状態を解除し、発信動作処理は終了する。
【００６２】
図９及び図１０のステップＳ２０１〜Ｓ２１２は、図２のＩＰ電話装置本体における発信動作の一例を示したフローチャートである。まず、主制御部１６は、子機２からの通信開始要求を受信すると、当該子機２と無線通信を開始するための制御を無線通信処理部１７に対して行う（ステップＳ２０１，Ｓ２０２）。このとき、主制御部１６は、子機２との無線通信が可能でなければ、スピーカ１４ｂからエラー音を出力させ、この発信動作処理を終了させる（ステップＳ２０３，Ｓ２０７）。一方、子機２との無線通信が可能であれば、子機２から無線通信により伝送される発信要求の入力待ち状態に移行する。
【００６３】
次に、主制御部１６は、子機２からの発信要求が入力されると、この発信要求から発信先電話番号及び子機識別符号２１を抽出し、主制御部１６内の一時記憶メモリに格納する（ステップＳ２０４〜Ｓ２０６）。主制御部１６は、所定時間が経過すると、発信要求の入力待ち状態を解除し、上記一時記憶メモリに格納された子機識別符号２１に基づいて、サーバー識別符号記憶部１９から自局ＩＰ電話番号２２を読み出す（ステップＳ２０８）。
【００６４】
主制御部１６は、子機識別符号２１に対応する自局ＩＰ電話番号２２が未登録であれば、未登録時の処理へ移行する（ステップＳ２０９）。一方、登録されている場合には、その自局ＩＰ電話番号２２に基づいて、ＩＳＰサーバー４ａ〜４ｃを指定して発信処理が行われる（ステップＳ２１０）。
【００６５】
主制御部１６は、この発信処理において、当該ＩＳＰサーバーに対して接続不可である場合、接続不可時の処理へ移行する（ステップＳ２１１）。一方、接続不可でなければ、ＩＰ網５に対して発呼制御が行われ、発信動作処理は終了する（ステップＳ２１２）。
【００６６】
図１１のステップＳ３０１〜Ｓ３０４は、図２のＩＰ電話装置本体における発信動作を示したフローチャートであり、自局ＩＰ電話番号２２がサーバー識別符号記憶部１９に未登録である時の処理手順の一例を示している。まず、主制御部１６は、子機識別符号２１に対応する自局ＩＰ電話番号２２がサーバー識別符号記憶部１９に登録されていない場合、未登録時の動作設定データを主制御部１６内のメモリから読み出す（ステップＳ３０１）。このとき、動作設定データとして、所定のＩＳＰサーバーを指定して発信処理を行うように設定されていれば、所定のＩＳＰサーバーを指定して発信処理が行われ（ステップＳ３０２，Ｓ３０３）、図１０のステップＳ２１１へ移行する。一方、ＰＳＴＮ８を指定して発信処理を行うように設定されていれば、ＰＳＴＮ８に対して発信処理が行われ、この未登録時の処理は終了する（ステップＳ３０４）。
【００６７】
図１２のステップＳ４０１〜Ｓ４０７は、図２のＩＰ電話装置本体における発信動作を示したフローチャートであり、ＩＳＰサーバー４ａ〜４ｃに接続不可である時の処理手順の一例を示している。まず、主制御部１６は、発信処理において、ＩＳＰサーバー４ａ〜４ｃに対して接続不可である場合、接続不可時の動作設定データを主制御部１６内のメモリから読み出す（ステップＳ４０１）。このとき、動作設定データとして、他のＩＳＰサーバーを指定して接続処理を行うように設定されていれば、他のＩＳＰサーバーを指定して発信処理が行われ（ステップＳ４０２，Ｓ４０３）、図１０のステップＳ２１１へ移行する。また、ＰＳＴＮ８に対して発信するように設定されていれば、ＰＳＴＮ８を指定して発信処理が行われ、この接続不可時の処理は終了する（ステップＳ４０４，Ｓ４０５）。また、子機２に通知するように設定されていれば、子機２に接続不可である旨が通知され（例えば、ビジートーン信号が子機２に対して送信される）、接続不可時の処理は終了する（ステップＳ４０６，Ｓ４０７）。
【００６８】
本実施の形態によれば、子機２から発信先のＩＰ電話番号を入力することによって、当該子機２に対応するＩＳＰサーバーを選択指定して発信することができる。つまり、サーバー識別符号として自局ＩＰ電話番号２２を子機２に対応付けて予め記憶させておくことによって、子機２ごとにＩＳＰサーバーをプリセットすることができるので、ＩＳＰサーバーを指定するための操作入力を必要とすることなく、子機２から通話相手のＩＰ電話番号を入力するだけで、ＩＳＰサーバーを自動的に選択して発信させることができる。従って、ＩＳＰサーバーごとに子機２を使い分けることができる。例えば、通話品質及び通話料金によってプロバイダーを使い分けたい場合には、子機２ごとにプロバイダーを割り振って子機２を使い分けることができる。
【００６９】
また、ユーザは、子機２において子機識別符号２１を入力することにより、ＩＳＰサーバーを必要に応じて指定して発信することができる。つまり、当該子機２に対応付けてプリセットされたＩＳＰサーバー以外のＩＳＰサーバーを指定して発信することもできるので、操作性に優れる。例えば、特定のプロバイダーでは通話できないエリアがあり、このエリア内に通話相手がいる場合などにイレギュラーなプロバイダーを選択することができるので便利である。特に、通話相手と同じプロバイダーを指定すれば、通話料金を安くすることができる。
【００７０】
また、子機識別符号２１に対応付けて記憶された自局ＩＰ電話番号２２に基づいて発信処理が行われるので、必要に応じて子機識別符号２１を入力することによって、ユーザは、子機２にかかわらず、所望の自局ＩＰ電話番号２２を発信元ＩＰ電話番号に選択指定して発信することができる。このため、例えば、複数のユーザのそれぞれに子機２が割り振られているような場合、他人の子機２であっても、子機識別符号２１を入力すれば、自分の子機２に対応付けられている自局ＩＰ電話番号２２で発信することができる。つまり、自分が他人の子機２を用いて電話をかけていても通話相手にそのことを意識させないようにすることができる。
【００７１】
なお、本実施の形態では、ＩＳＰサーバー４ａ〜４ｃごとに割り当てられた自局ＩＰ電話番号２２がユーザの操作入力によってサーバー識別符号記憶部１９に登録される場合の例について説明したが、本発明はこれに限られるものではない。例えば、ＩＳＰサーバーに対するダイヤルアップ接続時に、ＩＳＰサーバーから自局ＩＰ電話番号を自動的に取得するようなものであっても良い。このようにすれば、自局ＩＰ電話番号をＩＰ電話装置本体に登録する手間を省くことができる。
【００７２】
また、ＰＳＴＮ８に対する発信を指示するためのＰＳＴＮ指示符号を特定の子機２に対応付けてサーバー識別符号記憶部１９に記憶させ、このＰＳＴＮ指示符号に基づいて発信要求の送信処理が行われるようにすれば、ユーザは、この特定の子機２をＰＳＴＮ回線に対する発信用として用いることができる。従って、ユーザは、特定の子機２だけを「１１０」や「１１９」などの緊急時の発信番号専用の端末として用いることができる。
【図面の簡単な説明】
【００７３】
【図１】本発明の実施の形態１に係るＩＰ電話システムの一構成例を示した図である。
【図２】本発明の実施の形態１によるＩＰ電話装置本体の概略構成の一例を示したブロック図である。
【図３】図２のＩＰ電話装置本体における要部の一構成例を示したブロック図である。
【図４】図２のＩＰ電話装置本体における要部の一構成例を示したブロック図である。
【図５】図２のＩＰ電話装置本体における要部の一構成例を示したブロック図である。
【図６】図１のＩＰ電話装置における要部の一構成例を示したブロック図である。
【図７】図１のＩＰ電話装置に割り当てられた発信者電話番号の一例を示した図である。
【図８】図６の子機における発信動作の一例を示したフローチャートである。
【図９】図２のＩＰ電話装置本体における発信動作の一例を示したフローチャートである。
【図１０】図２のＩＰ電話装置本体における発信動作の一例を示したフローチャートである。
【図１１】図２のＩＰ電話装置本体における発信動作を示したフローチャートである。
【図１２】図２のＩＰ電話装置本体における発信動作を示したフローチャートである。
【符号の説明】
【００７４】
１  ＩＰ電話装置本体
２  子機
３  交換局
４ａ〜４ｃ，６  ＩＳＰサーバー
５  ＩＰ網
７  ＩＰ電話装置
８  ＰＳＴＮ
１０  ＩＰ電話装置
１１  スプリッタ
１２  ＰＳＴＮ処理部
１３  切替回路
１４  親機
１４ａ  ハンドセット
１４ｂ  スピーカ
１５  ＶｏＩＰ処理部
１６  主制御部
１７  無線通信処理部
１８  ユーザインターフェース
１９  サーバー識別符号記憶部
２１  子機識別符号
２２  自局ＩＰ電話番号
３１  回線捕捉回路
３２  スピーチネットワーク
３３  ダイヤル回路
３４  着信検出回路
３５  発信元電話番号抽出回路
４１  モデム
４２  モデム制御部
４３  ＶｏＩＰ制御部
４４  ＤＳＰ制御部
４５  ＤＳＰコーデック
５１  ＣＰＵ
５２  子機識別部
５３  表示制御部
５４  入力制御部
５５  発信回線判定部
５６  サーバー選択制御部
５７  識別符号抽出部
６１  子機主制御部
６２  プリセット電話番号メモリ
６３  メモリ制御部
６４  表示部
６５  表示制御部
６６  操作入力部
６７  入力制御部
６８  通信制御部
６９  無線通信処理部
７０  通話回路
７０ａ，７１  スピーカ
７０ｂ  マイク
７２  子機識別符号記憶部
７３  発信要求生成部
【図１】
2005086722.tif 000003
【図２】
2005086722.tif 000004
【図３】
2005086722.tif 000005
【図４】
2005086722.tif 000006
【図５】
2005086722.tif 000007
【図６】
2005086722.tif 000008
【図７】
2005086722.tif 000009
【図８】
2005086722.tif 000010
【図９】
2005086722.tif 000011
【図１０】
2005086722.tif 000012
【図１１】
2005086722.tif 000013
【図１２】
2005086722.tif 000014